(57)【特許請求の範囲】
【請求項１】
交流電源から出力される交流電圧を直流電圧に整流する整流回路、前記整流回路によって整流された直流電圧を平滑する平滑コンデンサ、前記平滑コンデンサによって平滑された直流電圧を所望の交流電圧に変換する変換回路、および前記変換回路を制御する制御部を具備するインバータ装置において、
前記変換回路は、
第１のスイッチング素子と、
前記第１のスイッチング素子と並列に接続され、前記第１のスイッチング素子よりも導通損失が小さく、且つ、スイッチング速度が速い第２のスイッチング素子と、
を備える複数のスイッチング回路により構成され、
前記制御部は、
前記各スイッチング回路をそれぞれオンオフ駆動するための複数の駆動信号を生成する駆動部と、
前記各スイッチング回路毎に、前記各駆動信号に基づき前記第１のスイッチング素子をオン動作させるタイミングよりも当該第１のスイッチング素子に並列接続された前記第２のスイッチング素子を遅れてオン動作させ、前記第２のスイッチング素子をオフ動作させるタイミングよりも当該第２のスイッチング素子に並列接続された前記第１のスイッチング素子を遅れてオフ動作させるゲート回路と、
を備える
ことを特徴とするインバータ装置。
【請求項２】
前記ゲート回路は、
前記駆動部から前記第１のスイッチング素子の制御端子に電流が流れる向きに直列接続された第１のダイオードおよび第１の抵抗と、
前記第１のスイッチング素子の制御端子から前記駆動部に電流が流れる向きに直列接続された第２のダイオードおよび第２の抵抗と、
前記駆動部から前記第２のスイッチング素子の制御端子に電流が流れる向きに直列接続された第３のダイオードおよび第３の抵抗と、
前記第２のスイッチング素子の制御端子から前記駆動部に電流が流れる向きに直列接続された第４のダイオードおよび第４の抵抗と、
を前記各スイッチング回路に対してそれぞれ備え、
前記第１の抵抗の抵抗値は、前記第３の抵抗の抵抗値よりも小さく、前記第２の抵抗の抵抗値は、前記第４の抵抗の抵抗値よりも大きいことを特徴とする請求項１に記載のインバータ装置。
【請求項３】
前記制御部は、前記変換回路の負荷が通常時とは異なる低負荷状態または拘束通電時の場合に、前記第１のスイッチング素子のオンオフ動作を停止させることを特徴とする請求項１に記載のインバータ装置。
【請求項４】
前記ゲート回路は、前記各スイッチング回路毎に、前記第１のスイッチング素子の制御端子と出力端子とを短絡させる複数のトランジスタをさらに備え、
前記制御部は、前記変換回路の負荷が通常時とは異なる低負荷状態または拘束通電時の場合に、前記トランジスタをオンに制御する
ことを特徴とする請求項２に記載のインバータ装置。
【請求項５】
前記第２のスイッチング素子は、ワイドバンドギャップ半導体によって形成されていることを特徴とする請求項１から４のいずれか一項に記載のインバータ装置。
【請求項６】
前記ワイドバンドギャップ半導体は、炭化珪素、窒化ガリウム系材料、またはダイヤモンドであることを特徴とする請求項５に記載のインバータ装置。
【請求項７】
請求項１から６のいずれか一項に記載の１つあるいは複数のインバータ装置と、
冷却または加温された空気を室内に送り出す送風用ファンを有する室内ユニットと、
冷媒を圧縮する圧縮機、前記冷媒と外気との熱交換を実施する熱交換器、および該熱交換器に外気を送り込むファンを有する室外ユニットと、
を備え、
前記送風用ファン、前記圧縮機、あるいは前記ファンを駆動するモータのうちの１つあるいは複数がそれぞれに対応する前記インバータ装置により回転駆動されることを特徴とする空気調和機。
【発明の詳細な説明】
【技術分野】
【０００１】
本発明は、インバータ装置、およびそれを備えた空気調和機に関する。
【背景技術】
【０００２】
従来、インバータ装置を構成するスイッチング回路として、ＳｉトランジスタとＳｉＣまたはＧａＮ系半導体からなる非Ｓｉトランジスタとを並列に接続した並列回路を構成することにより、スイッチング回路全体の通電損失の低減を図ると共に、Ｓｉトランジスタのゲート電圧と非Ｓｉトランジスタのゲート電圧とを同時に立ち上げることにより、スイッチング損失の低減を図る技術が開示されている（例えば、特許文献１）。
【０００３】
また、導通損失の小さい電流駆動型半導体スイッチング素子により構成されるメイントランジスタと電流駆動型半導体スイッチング素子よりもスイッチング速度の速い電圧駆動型半導体素子により構成される補助トランジスタとを並列に接続してメインスイッチを構成し、補助トランジスタをメイントランジスタよりも早くターンオン、遅くターンオフさせることにより、導通損失とスイッチング損失とを低減させる技術が開示されている（例えば、特許文献２）。
【先行技術文献】
【特許文献】
【０００４】
【特許文献１】国際公開第２０００−０７２４３３号
【特許文献２】国際公開第２００１−０２０７５７号
【発明の概要】
【発明が解決しようとする課題】
【０００５】
しかしながら、特許文献１に記載された技術では、ターンオン時にスイッチング速度の速いＳｉＣやＧａＮ系半導体素子により構成された非Ｓｉトランジスタによりスイッチング回路がオンするため、電流容量の大きい非Ｓｉトランジスタを用いる必要があり、Ｓｉ系半導体素子よりも高価な非Ｓｉトランジスタの価格がより高くなる、という問題があった。また、特許文献２に記載された技術では、メイントランジスタおよび補助トランジスタを駆動するための駆動信号をそれぞれ独立して供給しているため、インバータ装置を構成する際に、通常の倍の駆動信号が必要となり、一般的な汎用デバイスを用いて駆動制御回路を構成することができず、駆動制御回路の価格が高くなる、という問題があった。
【０００６】
本発明は、上記に鑑みてなされたものであって、損失低減効果を享受しつつ、より一層のコスト低減を図ることができるインバータ装置、およびそれを備えた空気調和機を提供することを目的とする。
【課題を解決するための手段】
【０００７】
上述した課題を解決し、目的を達成するため、本発明にかかるインバータ装置は、交流電源から出力される交流電圧を直流電圧に整流する整流回路、前記整流回路によって整流された直流電圧を平滑する平滑コンデンサ、前記平滑コンデンサによって平滑された直流電圧を所望の交流電圧に変換する変換回路、および前記変換回路を制御する制御部を具備するインバータ装置において、前記変換回路は、第１のスイッチング素子と、前記第１のスイッチング素子と並列に接続され、前記第１のスイッチング素子よりも導通損失が小さく、且つ、スイッチング速度が速い第２のスイッチング素子と、を備える複数のスイッチング回路により構成され、前記制御部は、前記各スイッチング回路をそれぞれオンオフ駆動するための複数の駆動信号を生成する駆動部と、前記各スイッチング回路毎に、前記各駆動信号に基づき前記第１のスイッチング素子をオン動作させるタイミングよりも当該第１のスイッチング素子に並列接続された前記第２のスイッチング素子を遅れてオン動作させ、前記第２のスイッチング素子をオフ動作させるタイミングよりも当該第２のスイッチング素子に並列接続された前記第１のスイッチング素子を遅れてオフ動作させるゲート回路と、を備えることを特徴とする。
【発明の効果】
【０００８】
本発明によれば、損失低減効果を享受しつつ、より一層のコスト低減を図ることができる、という効果を奏する。
【図面の簡単な説明】
【０００９】
【図１】図１は、実施の形態１にかかるインバータ装置の一構成例を示す図である。
【図２】図２は、実施の形態１にかかるインバータ装置におけるゲート回路の一構成例を示す図である。
【図３】図３は、実施の形態２にかかるインバータ装置におけるゲート回路の一構成例を示す図である。
【図４】図４は、実施の形態３にかかる空気調和機の室外ユニットの構成概略図である。
【発明を実施するための形態】
【００１０】
以下に添付図面を参照し、本発明の実施の形態にかかるインバータ装置、およびそれを備えた空気調和機について説明する。なお、以下に示す実施の形態により本発明が限定されるものではない。
【００１１】
実施の形態１．
図１は、実施の形態１にかかるインバータ装置の一構成例を示す図である。図１に示すように、実施の形態１にかかるインバータ装置１００は、力率改善のためのリアクトル２、交流電源１からリアクトル２を介して出力される交流電圧を整流するダイオードブリッジ（整流回路）３、ダイオードブリッジ３により整流された直流電圧を平滑する平滑コンデンサ６、平滑コンデンサ６によって平滑された直流電圧を所望の交流電圧に変換する変換回路４、抵抗１１に流れる電流を検出することにより変換回路４に流れる回路電流を検出する電流検出部１３、平滑コンデンサ６の両端電圧を検出することにより変換回路４に印加される直流電圧を検出する電圧検出部１４、および変換回路４を制御する制御部２００を備えている。
【００１２】
ダイオードブリッジ３は、ダイオード３ａ，３ｂ，３ｃ，３ｄにより構成されている。なお、図１に示す例では、平滑コンデンサ６は、平滑コンデンサ６ａ，６ｂが直列に接続され、交流電源１の一端と平滑コンデンサ６ａ，６ｂの中位点との間に接続されたスイッチ７の開閉状態により全波整流と半波整流とを切り替え可能に構成された例を示している。また、図１に示す例では、交流電源１は単相交流電源としているが、これに限定されるものではなく、交流電源１は三相交流電源であってもよい。この場合、ダイオードブリッジ３も三相交流電圧を整流する構成とすればよい。
【００１３】
また、図１に示す例では、変換回路４の負荷として三相モータ１２を駆動する例を示している。この場合、変換回路４は、各相毎に平滑コンデンサ６の正極側と負極側との間に抵抗１１を介して２つのスイッチング回路５が直列に接続されて構成される。なお、変換回路４の構成はこれに限らず、単相モータを駆動するように構成することも可能である。
【００１４】
変換回路４は、第１のスイッチング素子８と第２のスイッチング素子９と還流ダイオード１０とが並列に接続された複数のスイッチング回路５により構成される。
【００１５】
本実施の形態では、第１のスイッチング素子８としては、例えば、Ｓｉ（シリコン）系半導体により構成されたＩＧＢＴやＭＯＳＦＥＴ等の電圧駆動型半導体素子を用い、第２のスイッチング素子９としては、例えば、ＳｉＣ（炭化珪素）やＧａＮ（窒化ガリウム）系材料、またはダイヤモンド等のワイドバンドギャップ（以下、「ＷＢＧ」という）半導体により構成されたＩＧＢＴやＭＯＳＦＥＴ等の電圧駆動型半導体素子を用いる。ＷＢＧ半導体により構成された第２のスイッチング素子９は、Ｓｉ系半導体により構成された第１のスイッチング素子８よりもオン抵抗が小さく、且つ、スイッチング速度が速い特性を有している。
【００１６】
制御部２００は、ＰＷＭ信号生成部１５、駆動部１６、およびゲート回路１７を備えている。
【００１７】
ＰＷＭ信号生成部１５は、ＰＷＭ（Ｐｕｌｓｅ  Ｗｉｄｔｈ  Ｍｏｄｕｌａｔｉｏｎ：パルス幅変調）を用いたモータ駆動制御を行う。本実施の形態では、電流検出部１３により検出された変換回路４に流れる回路電流と電圧検出部１４により検出された変換回路４に印加される直流電圧とに基づいて、各スイッチング回路５を駆動する各駆動信号の基となる各ＰＷＭ信号を生成する。
【００１８】
駆動部１６は、各ＰＷＭ信号に基づいて、各スイッチング回路５を駆動する各駆動信号を生成し、ゲート回路１７に出力する。なお、ＰＷＭ信号生成部１５および駆動部１６は、それぞれ異なるデバイスであってもよいし、１つのデバイスで構成されていてもよい。
【００１９】
ゲート回路１７は、各駆動信号に基づき各スイッチング回路５内の第１のスイッチング素子８および第２のスイッチング素子９のオンオフ動作を行う。図２は、実施の形態１にかかるインバータ装置におけるゲート回路の一構成例を示す図である。図２に示すように、ゲート回路１７は、駆動部１６から第１のスイッチング素子８のゲート端子（制御端子）に電流が流れる向きに直列接続された第１のダイオード６１および第１の抵抗５１と、第１のスイッチング素子８のゲート端子から駆動部１６に電流が流れる向きに直列接続された第２のダイオード６２および第２の抵抗５２と、駆動部１６から第２のスイッチング素子９のゲート端子に電流が流れる向きに直列接続された第３のダイオード６３および第３の抵抗５３と、第２のスイッチング素子９のゲート端子から駆動部１６に電流が流れる向きに直列接続された第４のダイオード６４および第４の抵抗５４とを各スイッチング回路５に対してそれぞれ備えている。本実施の形態では、第１の抵抗５１の抵抗値は、第３の抵抗５３の抵抗値よりも小さい値とし、第２の抵抗５２の抵抗値は、第４の抵抗５４の抵抗値よりも大きい値としている。
【００２０】
つぎに、実施の形態１にかかるインバータ装置１００における各スイッチング回路５の動作について説明する。
【００２１】
本実施の形態では、ゲート回路１７には、第１のスイッチング素子８および第２のスイッチング素子９が並列に接続された各スイッチング回路５に対して１つの駆動信号が入力される。つまり、各スイッチング回路５の第１のスイッチング素子８および第２のスイッチング素子９のそれぞれに対して駆動信号を独立して供給する必要がないので、安価な汎用デバイスを用いてＰＷＭ信号生成部１５や駆動部１６を構成することができる。
【００２２】
第１のスイッチング素子８および第２のスイッチング素子９は、ゲート端子とコレクタ端子（入力端子：ＭＯＳＦＥＴの場合はドレイン端子）との間に寄生容量を有しているため、ゲート回路１７に入力される駆動信号の立ち上がり時には、第１の抵抗５１と第１のスイッチング素子８のゲート−コレクタ間寄生容量との時定数回路、および、第３の抵抗５３と第２のスイッチング素子９のゲート−コレクタ間寄生容量との時定数回路が構成される。本実施の形態では、第１の抵抗５１の抵抗値を第３の抵抗５３の抵抗値よりも小さい値としているので、このとき、第１のスイッチング素子８が先にオン動作し、第２のスイッチング素子９が遅れてオン動作する。
【００２３】
一方、ゲート回路１７に入力される駆動信号の立ち下がり時には、第２の抵抗５２と第１のスイッチング素子８のゲート−コレクタ間寄生容量との時定数回路、および、第４の抵抗５４と第２のスイッチング素子９のゲート−コレクタ間寄生容量との時定数回路が構成される。本実施の形態では、第２の抵抗５２の抵抗値を第４の抵抗５４の抵抗値よりも大きい値としているので、このとき、第２のスイッチング素子９よりも第１のスイッチング素子８が遅れてオフ動作する。
【００２４】
つまり、スイッチング回路５は、第１のスイッチング素子８によりオンオフ動作し、第２のスイッチング素子９は、第１のスイッチング素子８がオフした状態でオンオフ動作する。このため、第２のスイッチング素子９によるスイッチング損失は極めて小さくなる。したがって、第２のスイッチング素子９をより高価なＷＢＧ半導体により構成した場合でも、電流容量が小さいデバイスを用いることができるため、ＷＢＧ半導体により構成されたスイッチング素子のみを用いて変換回路を構成した場合よりもコストを低減することができる。
【００２５】
また、スイッチング回路５は、Ｓｉ系半導体により構成された第１のスイッチング素子８によりオンオフ動作するため、スイッチング損失は、ＷＢＧ半導体により構成されたスイッチング素子のみを用いて変換回路を構成した場合よりも大きくなり、Ｓｉ系半導体により構成されたスイッチング素子のみを用いて変換回路を構成した場合と同等となるものの、ＷＢＧ半導体により構成された第２のスイッチング素子９がオンしている期間は、スイッチング回路５を流れる電流の大半が第２のスイッチング素子９に流れるため、導通損失は、Ｓｉ系半導体により構成されたスイッチング素子のみを用いて変換回路を構成した場合よりも小さくすることができる。
【００２６】
以上説明したように、実施の形態１のインバータ装置によれば、第１のスイッチング素子と、第１のスイッチング素子よりもオン抵抗が小さく、且つ、スイッチング速度が速い第２のスイッチング素子とを並列に接続してスイッチング回路を構成し、第１のスイッチング素子よりも第２のスイッチング素子を遅れてオン動作させ、第２のスイッチング素子よりも第１のスイッチング素子を遅れてオフ動作させるようにしたので、第２のスイッチング素子は、第１のスイッチング素子がオフした状態でオンオフ動作するため、第２のスイッチング素子によるスイッチング損失は極めて小さくなる。したがって、第２のスイッチング素子をより高価なＷＢＧ半導体により構成した場合でも、電流容量が小さいデバイスを用いることができるため、ＷＢＧ半導体により構成されたスイッチング素子のみを用いて変換回路を構成した場合よりもコストを低減することができる。
【００２７】
また、一般に、スイッチング速度が速いスイッチング素子を用いると、そのターンオンおよびターンオフ時に発生するスイッチングノイズが大きくなるが、本実施の形態では、スイッチング速度がＷＢＧ半導体により構成された第２のスイッチング素子よりも遅いＳｉ系半導体により構成された第１のスイッチング素子によりスイッチング回路のターンオンおよびターンオフが実施されるので、ＷＢＧ半導体により構成されたスイッチング素子のみを用いて変換回路を構成した場合よりもスイッチングノイズを抑制することができる。
【００２８】
また、第１のスイッチング素子および第２のスイッチング素子が並列に接続された各スイッチング回路を１つの駆動信号により駆動するようにしたので、各スイッチング回路の第１のスイッチング素子および第２のスイッチング素子のそれぞれに対して駆動信号を独立して供給する必要がないため、安価な汎用デバイスを用いてＰＷＭ信号生成部や駆動部を構成することができる。
【００２９】
また、Ｓｉ系半導体により構成された第１のスイッチング素子によりオンオフ動作するため、スイッチング損失は、ＷＢＧ半導体により構成されたスイッチング素子のみを用いて変換回路を構成した場合よりも大きくなり、Ｓｉ系半導体により構成されたスイッチング素子のみを用いて変換回路を構成した場合と同等となるものの、ＷＢＧ半導体により構成された第２のスイッチング素子がオンしている期間は、スイッチング回路を流れる電流の大半が第２のスイッチング素子に流れるため、導通損失は、Ｓｉ系半導体により構成されたスイッチング素子のみを用いて変換回路を構成した場合よりも小さくすることができる。
【００３０】
実施の形態２．
本実施の形態では、低負荷状態においてＷＢＧ半導体により構成された第２のスイッチング素子のみオンオフ動作させる例について説明する。ここで、低負荷状態とは、例えば、変換回路の負荷として接続された圧縮機モータを回転させないようにモータ巻線に拘束通電して加熱することにより、停止中の圧縮機モータ内の冷媒寝込みを防止する場合等、圧縮機モータの通常運転時とは異なる低負荷で動作させる状態をいう。
【００３１】
図３は、実施の形態２にかかるインバータ装置におけるゲート回路の一構成例を示す図である。なお、実施の形態２にかかるインバータ装置１００の全体構成は、実施の形態１にかかるインバータ装置と同一であるので、実施の形態１と同一または同等の構成部には同一符号を付して、その詳細な説明は省略する。
【００３２】
図３に示すように、実施の形態２にかかるインバータ装置１００の制御部２００ａは、実施の形態１において説明したゲート回路１７に代えて、第１のスイッチング素子８のゲート端子とエミッタ端子（出力端子：ＭＯＳＦＥＴの場合はソース端子）とを短絡させるトランジスタ１８をさらに備えたゲート回路１７ａを具備している。
【００３３】
つぎに、実施の形態２にかかるインバータ装置１００において、変換回路４に接続された負荷が通常時とは異なる低負荷状態である場合の動作について説明する。ここでは、変換回路４に接続された負荷が通常時とは異なる低負荷状態である場合の一例として、圧縮機駆動用の三相モータ１２の拘束通電を実施する例について説明する。
【００３４】
制御部２００ａは、外部からの拘束通電運転指令が入力されると、ゲート回路１７ａ内のトランジスタ１８をオンに制御して、第１のスイッチング素子８のゲート端子とエミッタ端子とを短絡させる。これにより、第１のスイッチング素子８のオンオフ動作を停止させ、第２のスイッチング素子９のみオンオフ動作させる。
【００３５】
三相モータ１２の拘束通電を実施する場合等、変換回路４に接続された負荷が通常時とは異なる低負荷状態である場合には、通常時よりも各スイッチング回路５に流れる電流が小さいため、オン抵抗が小さく、且つ、スイッチング速度が速い第２のスイッチング素子９のみをオンオフ動作させることにより、スイッチング回路５のスイッチング損失および導通損失をより小さくすることができる。
【００３６】
また、スイッチング損失が小さくなるため、ＰＷＭ制御におけるキャリア周波数を通常時よりも高く設定することができる。したがって、第１のスイッチング素子８のオンオフ動作を停止させると共に、ＰＷＭ信号のキャリア周波数を通常運転時よりも高く（例えば、２０ｋＨｚ以上）設定して、拘束通電中にモータから発生する騒音を可聴帯域外とすることができる。また、キャリア周波数を高く設定することにより、モータ巻線に発生する磁束を強くすることができるので、モータ巻線を加熱するだけでなく、モータ巻線に発生する磁束により、モータのコアをも加熱することができる。
【００３７】
以上説明したように、実施の形態２のインバータ装置によれば、変換回路に接続された負荷が通常時とは異なる低負荷状態である場合に、第１のスイッチング素子のオンオフ動作を停止させ、第１のスイッチング素子よりもオン抵抗が小さく、且つ、スイッチング速度が速い第２のスイッチング素子のみをオンオフ動作させるようにしたので、低負荷状態におけるスイッチング回路のスイッチング損失および導通損失をより小さくすることができる。
【００３８】
また、スイッチング回路のスイッチング損失が小さくなることにより、ＰＷＭ制御におけるキャリア周波数を通常時よりも高く設定することができる。例えば、圧縮機モータの回転動作に用いた場合、圧縮機モータの拘束通電を実施する際に、ＰＷＭ信号のキャリア周波数を通常運転時よりも高く（例えば、２０ｋＨｚ以上）設定することにより、拘束通電中にモータから発生する騒音を可聴帯域外とすることができる。また、キャリア周波数を高く設定することにより、モータ巻線に発生する磁束を強くすることができるので、モータ巻線を加熱するだけでなく、モータ巻線に発生する磁束により、モータのコアをも加熱することができる。
【００３９】
実施の形態３．
本実施の形態では、実施の形態１および２で説明したインバータ装置を空気調和機に適用する例について説明する。図４は、実施の形態３にかかる空気調和機の室外ユニットの構成概略図である。
【００４０】
図４に示すように、実施の形態３にかかる空気調和機の室外ユニット３０は、室外熱交換器（図示せず）と外気との熱交換を促進するためのファン３１、空気調和機内の冷媒回路（図示せず）に圧縮した冷媒を循環させる圧縮機３２、および実施の形態１または２にかかるインバータ装置１００を備えている。
【００４１】
図４に示す例では、インバータ装置１００は、室外ユニット３０内の上部に設置され、圧縮機３２内に備えられた圧縮機モータの回転動作を制御する。なお、インバータ装置１００は、圧縮機３２内に備えられた圧縮機モータの回転動作の制御に使用されることに限定されるものではなく、例えば、ファン３１や室内ユニット（図示せず）における送風用ファン（図示せず）を駆動するモータの回転動作を制御するものとしてもよい。
【００４２】
以上説明したように、実施の形態３の空気調和機によれば、実施の形態１で説明したインバータ装置を適用することにより、第１のスイッチング素子と、第１のスイッチング素子よりもオン抵抗が小さく、且つ、スイッチング速度が速い第２のスイッチング素子とを並列に接続してスイッチング回路を構成し、第１のスイッチング素子よりも第２のスイッチング素子を遅れてオン動作させ、第２のスイッチング素子よりも第１のスイッチング素子を遅れてオフ動作させるようにしているので、第２のスイッチング素子をより高価なＷＢＧ半導体により構成した場合でも、電流容量が小さいデバイスを用いることができ、ＷＢＧ半導体により構成されたスイッチング素子のみを用いたインバータ装置を用いた場合よりもコストを低減することができる。
【００４３】
また、第１のスイッチング素子および第２のスイッチング素子が並列に接続された各スイッチング回路を１つの駆動信号により駆動するようにしているので、安価な汎用デバイスを用いて制御部あるいは駆動部を構成することができ、２つのスイッチング素子を並列に接続した同様の構成のインバータ装置を用いた場合よりもコストを低減することができる。
【００４４】
また、Ｓｉ系半導体により構成された第１のスイッチング素子によりオンオフ動作するため、スイッチング損失は、Ｓｉ系半導体により構成されたスイッチング素子のみを用いて変換回路を構成したインバータ装置を用いた場合と同等となるものの、ＷＢＧ半導体により構成された第２のスイッチング素子がオンしている期間は、スイッチング回路を流れる電流の大半が第２のスイッチング素子に流れるため、導通損失は、Ｓｉ系半導体により構成されたスイッチング素子のみを用いて変換回路を構成したインバータ装置を用いた場合よりも小さくすることができる。
【００４５】
また、実施の形態２で説明したインバータ装置を適用することにより、変換回路に接続された負荷が通常時とは異なる低負荷状態である場合に、第１のスイッチング素子のオンオフ動作を停止させ、第１のスイッチング素子よりもオン抵抗が小さく、且つ、スイッチング速度が速い第２のスイッチング素子のみをオンオフ動作させるようにしているので、２つのスイッチング素子を並列に接続した同様の構成のインバータ装置を用いた場合よりも低負荷状態における損失をより小さくすることができる。
【００４６】
また、例えば、圧縮機モータの回転動作に実施の形態２で説明したインバータ装置を適用した場合、ＰＷＭ制御におけるキャリア周波数を通常時よりも高く設定することができるので、圧縮機モータの拘束通電を実施する際に、ＰＷＭ信号のキャリア周波数を通常運転時よりも高く（例えば、２０ｋＨｚ以上）設定することにより、拘束通電中にモータから発生する騒音を可聴帯域外とすることができる。また、キャリア周波数を高く設定することにより、モータ巻線に発生する磁束を強くすることができるので、モータ巻線を加熱するだけでなく、モータ巻線に発生する磁束により、モータのコアをも加熱することができ、効率良く停止中の圧縮機モータ内の冷媒寝込みを防止することができる。
【００４７】
なお、上述した実施の形態において説明したＷＢＧ半導体により構成されたスイッチング素子を用いることによる効果は、各実施の形態において記載した効果にとどまらない。
【００４８】
例えば、ＷＢＧ半導体によって構成されたスイッチング素子は、耐電圧性が高く、許容電流密度も高いため、スイッチング素子の小型化が可能であり、これら小型化されたスイッチング素子を用いることにより、これらの素子を組み込んだインバータ回路の小型化が可能となる。
【００４９】
また、ＷＢＧ半導体によって構成されたスイッチング素子は、耐熱性も高いため、ヒートシンクの放熱フィンの小型化が可能であるので、インバータ回路の一層の小型化が可能となる。
【００５０】
なお、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【符号の説明】
【００５１】
１  交流電源
２  リアクトル
３  ダイオードブリッジ（整流回路）
４  変換回路
５  スイッチング回路
６，６ａ，６ｂ  平滑コンデンサ
７  スイッチ
８  第１のスイッチング素子
９  第２のスイッチング素子
１０  還流ダイオード
１１  抵抗
１２  三相モータ（負荷）
１３  電流検出部
１４  電圧検出部
１５  ＰＷＭ信号生成部
１６  駆動部
１７，１７ａ  ゲート回路
１８  トランジスタ
３０  室外ユニット
３１  ファン
３２  圧縮機
５１，５２，５３，５４  抵抗
６１，６２，６３，６４  ダイオード
１００  インバータ装置
２００，２００ａ  制御部
【図１】
0005591213.tif 000002
【図２】
0005591213.tif 000003
【図３】
0005591213.tif 000004
【図４】
0005591213.tif 000005